(57)【特許請求の範囲】
【請求項１】
光システム内で分散補償を提供する方法であって、
調整可能チャープ・ファイバ・ブラッグ格子が接続された少なくとも１つの経路を光システム内に結合することを含み、このような各格子はそれぞれの調整可能な量の分散を与えるものであり、さらに、
そのような各格子に対する前記それぞれの経路中に少なくとも１つのそれぞれのＤＧＤ要素を接続することを含み、所与の経路中のこのようなそれぞれのＤＧＤ要素すべてからなる組が、前記格子の少なくとも１つの調整値に対して、前記格子によって導入される微分群遅延とほぼ等しい絶対値を有するバイアス微分群遅延ＤＧＤ（ｂｉａｓ）を導入し、
各格子が、最小値Ｄ（ｍｉｎ）から、Ｄ（ｍｉｎ）よりもΔＤ大きい最大値Ｄ（ｍａｘ）にまでのそれぞれの動作範囲内で調整可能であり、
各格子が、そのそれぞれの経路に、Ｄ（ｍｉｎ）とＤ（ｍａｘ）間の中間の中間点分散Ｄ（ｍｉｄｐｏｉｎｔ）に対応する中間点微分群遅延ＤＧＤ（ｍｉｄｐｏｉｎｔ）を導入し、そして、
前記格子のそれぞれのＤＧＤ要素の組によって前記格子のそれぞれの経路中に導入される前記バイアス微分群遅延ＤＧＤ（ｂｉａｓ）が、ＤＧＤ（ｍｉｄｐｏｉｎｔ）の絶対値とほぼ等しい絶対値を有し、
それによって、Ｄ（ｍｉｄｐｏｉｎｔ）において、前記格子とそのそれぞれのＤＧＤ要素の組とによって導入される総合微分群遅延ＤＧＤ（ｔｏｔａｌ）が実質的にゼロに等しくなる、方法。
【請求項２】
各格子の前記調整値において、前記格子とそのそれぞれのＤＧＤ要素の組とによって導入される総合微分群遅延ＤＧＤ（ｔｏｔａｌ）が実質的にゼロに等しい、請求項１に記載の方法。
【請求項３】
光システム内で調整可能な分散補償を提供する方法であって、
第１および第２の調整可能チャープ・ファイバ・ブラッグ格子それぞれが接続された第１および第２の経路を前記システム内に結合することを含み、各格子がそれぞれの調整可能な量の分散Ｄ１およびＤ２を与えるものであり、
前記分散Ｄ１が、最小値Ｄ１（ｍｉｎ）から、Ｄ１（ｍｉｎ）よりもΔＤ１大きい最大値Ｄ１（ｍａｘ）にまで及ぶ動作範囲内で調整可能であり、前記分散Ｄ２が、最小値Ｄ２（ｍｉｎ）から、Ｄ２（ｍｉｎ）よりもΔＤ２大きい最大値Ｄ２（ｍａｘ）にまで及ぶ動作範囲内で調整可能であり、前記分散Ｄ１および前記分散Ｄ２が調整空間を画定し、
前記第１の格子が、Ｄ１の関数として変化する第１の微分群遅延ＤＧＤ１を前記システム内に導入し、前記第２の格子が、Ｄ２の関数として変化する第２の微分群遅延ＤＧＤ２を前記システム内に導入し、そして、
前記第１の格子が、Ｄ１（ｍｉｎ）とＤ１（ｍａｘ）間の中間の中間点分散Ｄ１（ｍｉｄｐｏｉｎｔ）に対応する第１の中間点微分群遅延ＤＧＤ１（ｍｉｄｐｏｉｎｔ）を前記システム内に導入し、前記第２の格子が、Ｄ２（ｍｉｎ）とＤ２（ｍａｘ）間の中間の中間点分散Ｄ２（ｍｉｄｐｏｉｎｔ）に対応する第２の中間点微分群遅延ＤＧＤ２（ｍｉｄｐｏｉｎｔ）を前記システム内に導入するものであり、前記方法がさらに、
Ｄ１（ｍｉｄｐｏｉｎｔ）の絶対値とほぼ等しい絶対値を有する第１のバイアス微分群遅延ＤＧＤ１（ｂｉａｓ）を前記システム内に導入する、少なくとも１つのＤＧＤ要素を含む第１の組のＤＧＤ要素を前記第１の経路中に接続し、そして、および、Ｄ２（ｍｉｄｐｏｉｎｔ）の絶対値とほぼ等しい絶対値を有する第２のバイアス微分群遅延ＤＧＤ２（ｂｉａｓ）を前記システム内に導入する、少なくとも１つのＤＧＤ要素を含む第２の組のＤＧＤ要素を前記第２の経路中に接続することを含み、
それによって、Ｄ１（ｍｉｄｐｏｉｎｔ）において、前記第１の格子と前記第１の組のＤＧＤ要素とによって導入される総合微分群遅延ＤＧＤ（ｔｏｔａｌ ＦＢＧ１）がゼロにほぼ等しくなり、Ｄ２（ｍｉｄｐｏｉｎｔ）において、前記第２の格子と前記第２の組のＤＧＤ要素とによって導入される総合微分群遅延ＤＧＤ（ｔｏｔａｌ ＦＢＧ２）がゼロにほぼ等しくなり、そして、
それによって、前記第１の格子と第２の格子の総合ＤＧＤが、分散Ｄ１およびＤ２によって画定された調整空間にわたって最小化される、方法。
【請求項４】
光システム内で調整可能な分散補償を提供する方法であって、
第１および第２の調整可能チャープ・ファイバ・ブラッグ格子それぞれが接続された第１および第２の経路を前記システム内に結合することを含み、
それぞれの格子の各々が、それぞれの最小値Ｄ１（ｍｉｎ）、Ｄ２（ｍｉｎ）からそれぞれの最大値Ｄ１（ｍａｘ）、Ｄ２（ｍａｘ）までのそれぞれの動作範囲Δ１、Δ２内で調整可能であり、
各格子が、そのそれぞれの経路に、Ｄ１（ｍｉｎ）、Ｄ２（ｍｉｎ）とＤ１（ｍａｘ）、Ｄ２（ｍａｘ）間の中間のそれぞれの中間点分散Ｄ１（ｍｉｄｐｏｉｎｔ）、Ｄ２（ｍｉｄｐｏｉｎｔ）に対応するそれぞれの中間点微分群遅延ＤＧＤ１（ｍｉｄｐｏｉｎｔ）、ＤＧＤ２（ｍｉｄｐｏｉｎｔ）を導入し、そして、
前記格子のそれぞれのＤＧＤ要素の組によって前記格子のそれぞれの経路中に導入される前記バイアス微分群遅延ＤＧＤ１（ｂｉａｓ）、ＤＧＤ２（ｂｉａｓ）のそれぞれが、ＤＧＤ１（ｍｉｄｐｏｉｎｔ）、ＤＧＤ２（ｍｉｄｐｏｉｎｔ）のぞれぞれの絶対値とほぼ等しい絶対値を有し、
それによって、Ｄ１（ｍｉｄｐｏｉｎｔ）、Ｄ２（ｍｉｄｐｏｉｎｔ）のそれぞれにおいて、各格子とそのそれぞれのＤＧＤ要素の組とによって導入される総合微分群遅延ＤＧＤ１（ｔｏｔａｌ）、ＤＧＤ２（ｔｏｔａｌ）のそれぞれが実質的にゼロに等しくなり、
分散Ｄ１および分散Ｄ２が調整空間を画定し、
前記第１および前記第２の格子が、Ｄ２（ｍｉｎ）およびＤ１（ｍｉｎ）から始まりＤ２（ｍａｘ）およびＤ１（ｍａｘ）で終わる調整軌跡に従って調整可能であり、前記第２の格子がＤ２（ｍｉｎ）からＤ２（ｍａｘ）まで調整される前に、前記第１の格子がＤ１（ｍｉｎ）からＤ１（ｍａｘ）まで調整され、
ＤＧＤ１（ｂｉａｓ）は、（Ｄ１（ｍｉｎ）＋ΔＤ１／２）に等しい値とＤ１（ｍａｘ）に等しい値との間の調整された分散値において、前記第１の格子によって示される前記ＤＧＤとほぼ等しい絶対値を有し、そして、
ＤＧＤ２（ｂｉａｓ）は、Ｄ２（ｍｉｎ）に等しい値と（Ｄ２（ｍｉｎ）＋ΔＤ１／２）に等しい値との間の調整された分散値において、前記第２の格子によって示される前記ＤＧＤとほぼ等しい絶対値を有し、
それによって、前記第１の格子と第２の格子の前記総合ＤＧＤが前記調整軌跡にわたって最小化される、方法。
【請求項５】
ＤＧＤ１（ｂｉａｓ）が、分散Ｄ１（ｍａｘ）において前記第１の格子によって生成されるＤＧＤ１にほぼ等しく、ＤＧＤ２（ｂｉａｓ）が、分散Ｄ２（ｍｉｎ）において前記第２の格子によって生成されるＤＧＤ２にほぼ等しい、請求項４に記載の方法。
【請求項６】
調整可能な分散補償器であって、
少なくとも１つの調整可能チャープ・ファイバ・ブラッグ格子と、光システム内に結合されたそこへの経路とを含み、前記格子が、前記システムによって搬送される伝送での分散を補償するための調整可能な量の分散Ｄを与え、そして前記格子が、Ｄの関数として変化する微分群遅延ＤＧＤを前記システム内に導入するものであり、さらに、
前記格子への前記経路中に結合されたＤＧＤ要素を含み、前記ＤＧＤ要素が、前記格子の少なくとも１つの調整値に対して、前記格子によって導入されるＤＧＤの絶対値とほぼ等しい絶対値を有する相殺微分群遅延ＤＧＤ（ｂｉａｓ）を前記システム内に導入するものであり、
それによって、前記調整値において、前記格子と前記ＤＧＤ要素によって導入される総合微分群遅延ＤＧＤ（ｔｏｔａｌ）がゼロにほぼ等しくなり、
各格子が、最小値Ｄ（ｍｉｎ）から、Ｄ（ｍｉｎ）よりもΔＤ大きい最大値Ｄ（ｍａｘ）にまでのそれぞれの動作範囲内で調整可能であり、
各格子が、そのそれぞれの経路に、Ｄ（ｍｉｎ）とＤ（ｍａｘ）間の中間の中間点分散Ｄ（ｍｉｄｐｏｉｎｔ）に対応する中間点微分群遅延ＤＧＤ（ｍｉｄｐｏｉｎｔ）を導入し、そして、
前記格子のそれぞれのＤＧＤ要素の組によって前記格子のそれぞれの経路中に導入される前記バイアス微分群遅延ＤＧＤ（ｂｉａｓ）が、ＤＧＤ（ｍｉｄｐｏｉｎｔ）の絶対値とほぼ等しい絶対値を有し、
それによって、Ｄ（ｍｉｄｐｏｉｎｔ）において、前記格子とそのそれぞれのＤＧＤ要素の組とによって導入される総合微分群遅延ＤＧＤ（ｔｏｔａｌ）が実質的にゼロに等しくなる、調整可能な分散補償器。
【請求項７】
第１および第２の調整可能チャープ・ファイバ・ブラッグ格子と、前記システム内に結合されたそこへのそれぞれの経路とをさらに含み、各格子がそれぞれの調整可能な量の分散Ｄ１およびＤ２を与えるものであり、
前記分散Ｄ１が、最小値Ｄ１（ｍｉｎ）から、Ｄ１（ｍｉｎ）よりもΔＤ１大きい最大値Ｄ１（ｍａｘ）にまで及ぶ動作範囲内で調整可能であり、前記分散Ｄ２が、最小値Ｄ２（ｍｉｎ）から、Ｄ２（ｍｉｎ）よりもΔＤ２大きい最大値Ｄ２（ｍａｘ）にまで及ぶ動作範囲内で調整可能であり、分散Ｄ１および分散Ｄ２が調整空間を画定し、そして、
前記第１の格子が、Ｄ１の関数として変化する第１の微分群遅延ＤＧＤ１を前記システム内に導入し、前記第２の格子が、Ｄ２の関数として変化する第２の微分群遅延ＤＧＤ２を前記システム内に導入するものであり、さらに、
（Ｄ１（ｍｉｎ）＋ΔＤ１／２）に等しい値とＤ１（ｍａｘ）に等しい値との間の調整された分散値において、前記第１の格子によって示される前記ＤＧＤとほぼ等しい絶対値を有する第１の相殺微分群遅延ＤＧＤ１（ｂｉａｓ）を前記システム内に導入する、前記第１の格子への前記経路中に接続された第１のＤＧＤ要素と、
Ｄ２（ｍｉｎ）に等しい値と（Ｄ２（ｍｉｎ）＋ΔＤ１／２）に等しい値との間の調整された分散値において、前記第２の格子によって示される前記ＤＧＤとほぼ等しい絶対値を有する第２の相殺微分群遅延ＤＧＤ２（ｂｉａｓ）を前記システム内に導入する、前記第２の格子への前記経路中に接続された第２のＤＧＤ要素とを含み、
それによって、前記第１の格子と第２の格子の前記総合ＤＧＤが調整軌跡にわたって最小化される、請求項６に記載の調整可能な分散補償器。
【請求項８】
前記ＤＧＤ１（ｂｉａｓ）が、分散Ｄ１（ｍａｘ）において前記第１の格子によって生成されたＤＧＤ１に等しく、前記ＤＧＤ２（ｂｉａｓ）が、分散Ｄ２（ｍｉｎ）において前記第２の格子によって生成されたＤＧＤ２に等しい、請求項７に記載の調整可能な分散補償器。
【請求項９】
調整可能な分散補償器であって、
少なくとも１つの調整可能チャープ・ファイバ・ブラッグ格子と、光システム内に結合されたそこへの経路とを備え、前記格子がそれぞれの調整可能な量の分散を与えるものであり、さらに、
前記格子への前記経路中に結合された少なくとも１つのＤＧＤ要素を備え、前記経路中のそのようなＤＧＤ要素すべてからなる組が、その格子の最少電力調整設定用に前記要素と前記格子の総ＤＧＤになる値を有するバイアス微分群遅延ＤＧＤ（ｂｉａｓ）を導入し、この値が、調整範囲全体にわたって総ＤＧＤがとる最大値の半分未満であり、
各格子が、最小値Ｄ（ｍｉｎ）から、Ｄ（ｍｉｎ）よりもΔＤ大きい最大値Ｄ（ｍａｘ）にまでのそれぞれの動作範囲内で調整可能であり、
各格子が、そのそれぞれの経路に、Ｄ（ｍｉｎ）とＤ（ｍａｘ）間の中間の中間点分散Ｄ（ｍｉｄｐｏｉｎｔ）に対応する中間点微分群遅延ＤＧＤ（ｍｉｄｐｏｉｎｔ）を導入し、そして、
前記格子のそれぞれのＤＧＤ要素の組によって前記格子のそれぞれの経路中に導入される前記バイアス微分群遅延ＤＧＤ（ｂｉａｓ）が、ＤＧＤ（ｍｉｄｐｏｉｎｔ）の絶対値とほぼ等しい絶対値を有し、
それによって、Ｄ（ｍｉｄｐｏｉｎｔ）において、前記格子とそのそれぞれのＤＧＤ要素の組とによって導入される総合微分群遅延ＤＧＤ（ｔｏｔａｌ）が実質的にゼロに等しくなる、調整可能な分散補償器。
【発明の詳細な説明】
【技術分野】
【０００１】
本発明は、一般に光ファイバのデバイスおよび方法に関し、詳細には、光伝送リンク内で最小微分群遅延の調整可能な分散補償を実現する改善されたシステムおよび方法に関する。
【背景技術】
【０００２】
本特許出願は、２００８年１月１７日出願の米国特許仮出願第６１／０２１７６９号（整理番号Ｂｕｂｅｌ  １−１９−１−１−２７）及び２００９年１月１１日出願の米国特許出願第１２／３５１８４３号の優先権の利益を主張する。
【０００３】
光ファイバ伝送システムの開発における継続的な問題は色分散である。光ファイバにより、波長に依存するある量の時間遅延が伝送データ中に導入される。波長に依存する関数の傾斜の大きさは、伝送線の長さに伴い増加する。現在の光ファイバ伝送システムでは、光ファイバを使用して異なる波長でデータを数百キロメートル、さらには数千キロメートルもの距離にわたって伝送することが可能である。適切な分散補償なしでは、色分散が、それぞれ異なる波長を有する各信号の到着時間に許容できない大きな差異をもたらすことがある。
【０００４】
分散補償器は、波長に依存する遅延の相殺を光伝送リンク中に導入することによって分散の問題に対処し、それによって到着時間の差異が許容できる小さなレベルにまで低減する。分散補償を行うのに使用できる光デバイスの１つは、チャープ・ファイバ・ブラッグ格子（ＣＦＢＧ）である。例えば、Ｅｇｇｌｅｔｏｎ他、「Ｉｎｔｅｇｒａｔｅｄ  Ｔｕｎａｂｌｅ  Ｆｉｂｅｒ  Ｇｒａｔｉｎｇｓ  ｆｏｒ  Ｄｉｓｐｅｒｓｉｏｎ  Ｍａｎａｇｅｍｅｎｔ  ｉｎ  Ｈｉｇｈ−Ｂｉｔ  Ｒａｔｅ  Ｓｙｓｔｅｍｓ」（Ｊｏｕｒｎａｌ  ｏｆ  Ｌｉｇｈｔｗａｖｅ  Ｔｅｃｈｎｏｌｏｇｙ、Ｖｏｌ．１８、第１４１８頁以下、（２０００））を参照されたい。
【０００５】
ブラッグ格子は、高輝度紫外線光源を使用して光ファイバのセグメントの屈折率に周期的な一連の変化を「書き込む」ことによって形成される。特定の書込み方式を使用することによって、屈折が変わる一連の領域をつくり出すことが可能であり、そのそれぞれが、ある波長に特定的な誘電体ミラーとして機能し、これは、特定の波長の光はファイバ・セグメントの長さ方向に後方へ反射するが、他の波長の光は通過させる。「チャープ」ファイバ・ブラッグ格子（ＣＦＢＧ）が分散補償器として使用されることがある。ＣＦＢＧでは、波長反射率と、屈折が変わる各領域間の間隔とが、光データ信号中に負の分散を導入するように選択され、それによって、色分散により引き起こされる到達時間の差異が大幅に低減され、あるいはなくなる。
【０００６】
ＣＦＢＧは一般に、ある量の複屈折を示す。この複屈折により、ＣＦＧＢからの光応答は、ある量の偏波モード分散（ＰＭＤ）を示す。光伝送リンク内にＰＭＤが存在すると偏波依存遅延が導入され、それにより、偏波がそれぞれ異なる信号は、異なる時間に宛先点に到着することになる。本明細書では、「偏波モード分散」（または「ＰＭＤ」）という用語は、到着時間に差異を生じさせる物理的現象を指す。この現象を定量化したものを本明細書では「微分群遅延」（または「ＤＧＤ」）と呼ぶ。
【０００７】
分散Ｄおよび複屈折Ｂを有し所与の波長λ（例えば１５５０ｎｍ）で動作する格子の最も簡単な場合では、格子は一次ＰＭＤを示し、これは、２つの偏波の主状態（ＰＳＰ）間の微分群遅延（ＤＧＤ）の、次式で表すことができる値の単一値によって特徴付けられる。
ＤＧＤ＝ＢＤλ    （１）
【０００８】
所与のＣＦＢＧのＤＧＤは、ある固定量の反対符号付きＤＧＤを伝送リンク中に導入する要素をＣＦＢＧに接続することによって低減できることが知られている。例えば、Ｓｔｒａｓｓｅｒ他の米国特許第６１３７９２４号（以下では「９２４特許」と呼ぶ）を参照されたい。同特許では、スタティックＣＦＢＧへの光経路中に偏波面維持ファイバ（ＰＭＦ）のセグメントを追加することによってＤＧＤをなくす技法を開示している。ＰＭＦセグメントによって導入されるＤＧＤの量は、その長さにより変化する。
【０００９】
さらに当技術分野では、分散値の範囲にわたって調整可能なＣＦＢＧが知られている。調整は、例えば、勾配を正確に制御できる熱または歪み成分をＣＦＢＧに加えることを含む、いくつかの方法で実現することができる。さらに、より広い、またはより対称的な調整範囲を実現するために、２つ以上のＣＦＢＧを連結することが知られている。
【先行技術文献】
【特許文献】
【００１０】
【特許文献１】米国特許仮出願第６１／０２１７６９号
【特許文献２】米国特許第６１３７９２４号
【非特許文献】
【００１１】
【非特許文献１】Ｅｇｇｌｅｔｏｎ他、「Ｉｎｔｅｇｒａｔｅｄ  Ｔｕｎａｂｌｅ  Ｆｉｂｅｒ  Ｇｒａｔｉｎｇｓ  ｆｏｒ  Ｄｉｓｐｅｒｓｉｏｎ  Ｍａｎａｇｅｍｅｎｔ  ｉｎ  Ｈｉｇｈ−Ｂｉｔ  Ｒａｔｅ  Ｓｙｓｔｅｍｓ」（Ｊｏｕｒｎａｌ  ｏｆ  Ｌｉｇｈｔｗａｖｅ  Ｔｅｃｈｎｏｌｏｇｙ、ｖｏｌ．１８、第１４１８頁以下、（２０００））
【発明の概要】
【発明が解決しようとする課題】
【００１２】
９２４特許に開示されているものなど、現在の技法は、固定ＤＧＤ要素をスタティック（すなわち調整可能ではない）ＣＦＢＧと組み合わせて使用することに向けられている。これらの技法は、その簡単さ故に魅力的であるが、１つまたは複数の調整可能格子を有する分散補償器にそれをどのように適用するかは知られていない。調整可能ＣＦＢＧではＤＧＤが、調整された分散の関数として変化する。したがって、調整可能格子と組み合わせてＰＭＤ補償を行うように固定ＤＧＤ要素が使用される場合、固定ＤＧＤ要素では、最善でもＤＧＤを調整可能ＣＦＢＧの１つの特定の設定でしか最小にできないことが理解されよう。他の設定ではいくらかのＤＧＤが常に生じる。そのため、ＣＦＢＧにおいて、その調整範囲全体にわたってＤＧＤの最小値を実現する手段が必要とされている。
【００１３】
２つ以上の格子が連結される場合では別の問題が起こる。そうした場合では、総分散に同一の値が得られる多くの調整電圧がある。したがって、効果的なＤＧＤ最小化技法は、様々な調整軌跡を考慮に入れなければならない。また、特定の調整軌跡が、例えば電力消費について考慮すべき事項などによって指示されることもある。この場合には、所与の調整軌跡に沿って最小ＤＧＤを実現するようにデバイスを構築する手段が必要になる。
【課題を解決するための手段】
【００１４】
従来技術の上記およびその他の問題は、本発明によって対処され、その一態様では、光システム内で分散補償を実現する方法およびシステムを提供する。調整可能チャープ・ファイバ・ブラッグ格子が接続された少なくとも１つの経路が光システム内に結合され、このような各格子がそれぞれの調整可能な量の分散を与える。少なくとも１つのそれぞれのＤＧＤ要素は、そのような各格子のそれぞれの経路中に接続される。所与の経路中のこのようなそれぞれのＤＧＤ要素すべてからなる組は、格子の少なくとも１つの調整値に対して、格子によって導入される微分群遅延とほぼ等しい絶対値を有するバイアス微分群遅延ＤＧＤ（ｂｉａｓ）を導入する。
【００１５】
本発明の別に記載の態様では、複数の格子、ＤＧＤ要素、およびそれらへのそれぞれの経路がリンクに結合された光リンク中で調整可能分散補償を実現する方法およびシステムを対象とする。
【００１６】
本発明のさらなる特徴および利点は、以下の詳細な説明および添付の図面を参照すれば明らかになろう。
【図面の簡単な説明】
【００１７】
【図１】本発明の第１の態様による最小ＤＧＤの調整可能分散補償器の図である。
【図２】図１に示された調整可能分散補償器においてＤＧＤを最小にする、本発明による技法を示すグラフである。
【図３】本発明の別の一態様による、複数の調整可能格子を有する調整可能分散補償器の図である。
【図４】図３に示された分散補償器の調整空間を示すグラフである。
【図５】本発明の別の一態様と組み合わせて使用される低電力調整軌跡を示すグラフである。
【図６】本発明の記載の態様による一般的な一技法を示す流れ図である。
【図７】本発明の記載の態様による一般的な一技法を示す流れ図である。
【図８】本発明の記載の態様による一般的な一技法を示す流れ図である。
【発明を実施するための形態】
【００１８】
上記およびその他の問題は本発明によって対処され、その諸態様では、調整可能格子の動作範囲全体にわたり最小ＤＧＤの分散補償を実現するためのシステムおよび方法を対象とし、あるいは調整可能チャープ・ファイバ・ブラッグ格子およびＤＧＤ要素を使用することを対象とする。
【００１９】
本発明を、下記および添付の図面で示したいくつかの異なる例に関して説明する。本例は、限定的ではなく例示的なものであり、本明細書で主張するように、本発明は、記載例の改変形態に関して、ならびに本明細書には明確に記載されていない構造に関しても実施できることが理解されよう。
【００２０】
図１は、本発明の第１の態様による、最小ＤＧＤの調整可能分散補償器（「ＴＤＣ」）１０の図を示す。ＴＤＣ  １０は、光データ信号を受け取る入力ファイバ１２を含む。入力ファイバ１２は、サーキュレータ１４の第１ポート、または他の適切な結合デバイスに接続される。サーキュレータ１４は、番号が付けられた３つのポートを有する光デバイスである。サーキュレータの第１ポートで受け取られた入力は、サーキュレータの第２ポートに伝送され、そこで、第２ポートに接続された光デバイスへの出力として供給される。同様に、第２ポートで受け取られた入力は、サーキュレータの第３ポートに伝送され、そこで出力として供給される。
【００２１】
図１に示されるように、サーキュレータ１４の第２ポートに、調整可能ＣＦＢＧ  ２０までの経路１８を含むサブシステム１６が接続される。経路１８中にはＤＧＤ要素２２が結合される。
【００２２】
データ信号は、サーキュレータ・ポートを通って光サブシステム１６に入り、ＤＧＤ要素２２を通過してから調整可能ＣＦＢＧ  ２０に入る。ＣＦＢＧ  ２０は、分散補償器として機能するいくつかの波長感応リフレクタ領域を含む。分散補償された信号は反射されて戻りＤＧＤ要素２２を通ってサーキュレータ１４中に戻る。次にサーキュレータ１４は、分散補償された信号をその第３ポートまで伝送し、信号はそこから出力ファイバ２４中に供給される。
【００２３】
上記のように、調整可能ＣＦＢＧ  ２０は、分散に依存する量のＤＧＤをデータ信号中に導入する。ＤＧＤ要素２２は、ＣＦＢＧ  ２０によって導入されるＤＧＤを補償する量の反対符号付きＤＧＤをデータ信号中に導入する。図１から、光データ信号がＤＧＤ要素２２を２回通過することが理解されよう。したがって、調整されていない状態のＣＦＢＧによって導入されるある特定の量ＸのＤＧＤを補償するために、ＤＧＤ要素は、Ｘ／２のＤＧＤ、すなわちＣＦＢＧによって導入されるＤＧＤの半分を反対符号付きで導入する。
【００２４】
本説明を簡単にするために、ＤＧＤ要素によって導入されるＤＧＤについての言及があるときはいつも、言及が、ＤＧＤ要素によってＣＦＢＧへの経路中に導入される総ＤＧＤ、すなわち両方向のＤＧＤの合計について行われているものと理解されたい。
【００２５】
上述のように、ＤＧＤ要素２２は、偏波面維持ファイバ（ＰＭＦ）のセグメントを使用して適切に実施することができる。このようなファイバは高い複屈折を有し、ＰＭＦのセグメントは、伝送における特定のＤＧＤをセグメントの長さの関数として生じる。したがって、所望の量の反対符号付きＤＧＤは、適切な長さのＤＧＤ要素を選択することによって得ることができる。ＤＧＤ要素は、複屈折の結晶などを含む他のタイプの光デバイス、またはデバイスの組合せを使用しても実施できることに注意されたい。あるいは、ＤＧＤ要素は、ＤＧＤの最小値と最大値の間で調整可能とすることもできる。
【００２６】
上述のように、固定ＤＧＤ要素を使用して、スタティック（すなわち調整可能ではない）ＣＦＢＧにより導入されるＤＧＤを補償することが知られている。しかし、調整可能なＣＦＢＧを用いると、調整された分散によりＤＧＤ量が変化する。ＤＧＤ要素２２が、ある固定量のＤＧＤを伝送線中に導入し、調整可能なＣＦＢＧが、ある不定量のＤＧＤを伝送線中に導入するものとすると、ＤＧＤ要素が、最善でもデータ信号内のＤＧＤをＣＦＢＧの動作範囲内の１つの設定でしか除去できず、ＣＦＢＧの動作範囲内の他の設定ではいくらかのＤＧＤが存在することになることが明らかであろう。
【００２７】
その場合、対処すべき問題は、（１）ＣＦＢＧの動作範囲全体にわたって総ＤＧＤを最小にする固定ＤＧＤ要素によって導入されるべき、反対符号付きＤＧＤの総量に見合う値をどのようにして選択するか、および（２）そのようにして総ＤＧＤが最小化された後で、総ＤＧＤの最大量をどのようにして定量化するか、である。
【００２８】
図２は、原寸に比例して描かれていないが、本発明の一態様によるＤＧＤ最小化の手法を説明するグラフ３０を示す。上述のように、調整可能ＣＦＢＧはその動作範囲内で、便宜上ここに再掲した式（１）による１次ＰＭＤを示す。
【数１】
0005295791.tif 000002
ここでＢはＣＦＢＧ複屈折、Ｄは調整された分散、λは信号波長（例えば１５５０ｎｍ）である。
【００２９】
Ｄ（ｍｉｎ）およびＤ（ｍａｘ）は、それぞれＣＦＢＧの動作範囲の下限および上限と定義され、ΔＤは、Ｄ（ｍｉｎ）とＤ（ｍａｘ）間の間隔と定義されている。したがって、
【数２】
0005295791.tif 000003
【００３０】
ＤＧＤ（ＦＢＧ）は、ＣＦＢＧによって導入されるＤＧＤの量と定義され、グラフ３０に上の線３２で示されている。式（１）と（２）を組み合わせると次の関係が得られる。
【数３】
0005295791.tif 000004
【００３１】
上述のように、ＰＭＦセグメントなどのＤＧＤ要素は、反対符号付きＤＧＤを伝送線中に導入してＤＧＤ（ＦＢＧ）を補償する。この反対符号付きＤＧＤを本明細書でＤＧＤ（ｂｉａｓ）と呼ぶ。ＣＦＢＧとＤＧＤ要素を合わせた総ＤＧＤは、本明細書でＤＧＤ（ｔｏｔａｌ）と呼び、次式で表すことができる。
【数４】
0005295791.tif 000005
【００３２】
式（１）と（４）を組み合わせると次式が得られる。
【数５】
0005295791.tif 000006
【００３３】
本明細書では、Ｄ（ｍｉｄｐｏｉｎｔ）はＤ（ｍｉｎ）とＤ（ｍａｘ）の中間と定義されている。したがって、
【数６】
0005295791.tif 000007
および
【数７】
0005295791.tif 000008
である。
【００３４】
図２で、Ｄ＝Ｄ（ｍｉｄｐｏｉｎｔ）であるとき、あるいは
【数８】
0005295791.tif 000009
または
【数９】
0005295791.tif 000010
であるときのＤＧＤ（ＦＢＧ）の量と等しいＤＧＤ（ｂｉａｓ）を導入するＤＧＤ要素を選択することによって、ＣＦＢＧの動作範囲全体にわたってＤＧＤ（ｔｏｔａｌ）を最小にできることが理解されよう。
【００３５】
すなわち、
【数１０】
0005295791.tif 000011
である。
【００３６】
図２で、下のグラフ線３４は、ＤＧＤ（ｂｉａｓ）がＢ・Ｄ（ｍｉｄｐｏｉｎｔ）・λと等しい場合のＤＧＤ（ｔｏｔａｌ）を示す。図２に示すように、ＤＧＤ（ｂｉａｓ）をこのように設定することにより、線３２が下方に移動して、線３４の中間点でｘ軸と交差する。
【００３７】
ＤＧＤ（ｔｏｔａｌ）は、Ｄ（ｍｉｄｐｏｉｎｔ）でゼロになり、ＤがＤ（ｍｉｄｐｏｉｎｔ）から離れてＤ（ｍｉｎ）に向かって移動するにつれ、またＤ（ｍａｘ）に向かって移動するにつれ大きくなることが理解されよう。さらに、ＤＧＤ（ｍｉｎ）でのＤＧＤ（ｔｏｔａｌ）の絶対値と、ＤＧＤ（ｍａｘ）でのＤＧＤ（ｔｏｔａｌ）の絶対値とが互いに等しいことも理解されよう。
【００３８】
したがって、図２で示されるように、調整範囲全体にわたって最大のＤＧＤ（ｔｏｔａｌ）は次式となる。
【数１１】
0005295791.tif 000012
【００３９】
本発明の別の一態様では、許容できる程度にＤＧＤが小さい調整可能分散補償を実現するための、より一般的な技法を提供する。図１に関して上述したように、ＤＧＤ要素は、サブシステム経路中に相殺微分群遅延ＤＧＤ（ｂｉａｓ）を導入する。一般的な技法では、ＤＧＤ（ｂｉａｓ）は、ＣＦＢＧの少なくとも１つの調整値に対して、ＣＦＢＧによって導入されるＤＧＤの絶対値とほぼ等しい絶対値を有するように選択される。その調整値では、格子およびＤＧＤ要素によって導入される総合微分群遅延ＤＧＤ（ｔｏｔａｌ）がほぼゼロに等しくなる。
【００４０】
図３は、連結された１対の調整可能格子ＣＦＢＧ１およびＣＦＢＧ２によって分散補償が行われる、本発明のもう１つの態様による最小ＤＧＤの例示的な分散補償器５０の図を示す。
【００４１】
分散補償器５０は、光データ信号を搬送する光ファイバ入力部５２を含む。入力ファイバ５２は、４ポート・サーキュレータ５４の第１ポート、または他の適切な結合デバイスに接続される。ＤＧＤ要素ＤＧＤ１および第１のチャープ・ファイバ・ブラッグ格子ＣＦＢＧ１が接続された第１の経路５８を含む第１のサブシステム５６が、サーキュレータの第２ポートに接続され、第２のＤＧＤ要素ＤＧＤ２および第２のチャープ・ファイバ・ブラッグ格子ＣＦＢＧ２が接続された第２の経路６２を含む第２のサブシステム６０が、サーキュレータの第３ポートに接続される。出力ファイバ６４がサーキュレータの第４ポートに接続される。
【００４２】
光信号は、入力ファイバ５２を通ってサーキュレータの第１ポート内に伝わり、サーキュレータの第２ポートから出て経路５８に沿って第１のサブシステム５６内に伝わる。第１のサブシステム５６では、信号はＤＧＤ１を介してＣＦＢＧ１中に進み、ＣＦＢＧ１は、この信号を反射して戻し、ＤＧＤ１を介してサーキュレータの第２ポート内に戻す。次に、サーキュレータ５４は、信号をその第３ポートまで伝送し、信号はそこから第２のサブシステム６０内に供給される。第２のサブシステム６０では、信号は経路６２に沿ってＤＧＤ２を通りＣＦＢＧ２中に進み、ＣＦＢＧ２は、この信号を反射して戻し、ＤＧＤ２を介してサーキュレータの第３ポート内に戻す。サーキュレータは信号をその第４ポートまで伝送し、信号はそこから出力ファイバ６４中に供給される。
【００４３】
サブシステム５６および６０は、前述の図１の分散補償器１０内のサブシステム１６と同じように機能する。格子ＣＦＢＧ１およびＣＦＢＧ２は、色分散補償を行う。各格子ＣＦＢＧ１およびＣＦＢＧ２は、それぞれ複屈折Ｂ１およびＢ２を有し、したがって、分散に依存する量のＤＧＤを導入する。すなわち、
【数１２】
0005295791.tif 000013
および
【数１３】
0005295791.tif 000014
であり、要素ＤＧＤ１およびＤＧＤ２は、ＤＧＤ（ＦＢＧ１）およびＤＧＤ（ＦＢＧ２）に対して反対に符号が付けられた、それぞれの量の微分群遅延ＤＧＤ１（ｂｉａｓ）およびＤＧＤ２（ｂｉａｓ）を与える。
【００４４】
図４は、格子ＣＦＢＧ１およびＣＦＢＧ２の例示的な調整空間１０２を示すグラフ１００である。グラフ１００では、ｙ軸を用いて格子ＣＦＢＧ１の分散Ｄ１を示し、ｘ軸を用いて格子ＣＦＢＧ２の分散Ｄ２を示す。グラフ１００に示すように、ＣＦＢＧ１の動作範囲はＤ１（ｍｉｎ）からＤ１（ｍａｘ）にまで及び、ＣＦＢＧ２の動作範囲はＤ２（ｍｉｎ）からＤ２（ｍａｘ）にまで及ぶ。Ｄ１（ｍａｘ）とＤ１（ｍｉｎ）間の間隔はΔＤ１であり、Ｄ２（ｍａｘ）とＤ２（ｍｉｎ）間の間隔はΔＤ２である。
【００４５】
図４に示したように、連結された２つの格子の場合では、最小ＤＧＤ（ｔｏｔａｌ）を得るための調整軌跡はもはやただ１つではない。長方形の調整領域１０２は、Ｄ１（ｍｉｎ）とＤ１（ｍａｘ）間、およびＤ２（ｍｉｎ）とＤ２（ｍａｘ）間でそれぞれ調整された格子ＣＦＢＧ１およびＣＦＢＧ２に対して可能なすべての調整点を含む。線１０４は、１つの可能な調整軌跡の一例を示す。
【００４６】
調整領域１０２内の斜線１０６は総分散Ｄ（ｔｏｔａｌ）の様々な値を表し、この総分散は２つの格子それぞれの分散の合計になり、
【数１４】
0005295791.tif 000015
である。
【００４７】
図１に示した単一ＣＦＢＧの調整可能分散補償器に関する説明はまた、図３に示した２連ＣＦＢＧの調整可能分散補償器内の各個別サブシステム５６、５８にも当てはまる。
【００４８】
ある特定の調整軌跡について、それが長方形調整空間１０２の内部に含まれること以外は何も分かっていないと想定して、ＤＧＤ（ｔｏｔａｌ）を最小化すること、およびＭａｘ｛ＤＧＤ（ｔｏｔａｌ）｝を定量化することが可能である。両方の格子の合計では、任意のバイアス点に対する最大ＤＧＤは次式となる。
【数１５】
0005295791.tif 000016
【００４９】
破線は、そのＣＦＢＧに対してＤＧＤ（ｔｏｔａｌ）がゼロになる色分散値を表す。前の説明をサブシステム５６および５８に当てはめると、格子ＣＦＢＧ１およびＣＦＢＧ２のそれぞれが、そのそれぞれの動作範囲の中間点Ｄ１（ｍｉｄｐｏｉｎｔ）およびＤ２（ｍｉｄｐｏｉｎｔ）で総ＤＧＤがゼロになるようにバイアスされた場合に、ＤＧＤ（ｔｏｔａｌ ｔｏｗ ｇｒａｔｉｎｇｓ）が最小化されることが理解されよう。
【００５０】
この方法は、どんな軌跡も可能にするので有利であるが、それが唯一の可能性ではない。図５は、調整空間１２２を調整軌跡１２４が横切るグラフ１２０であり、低電力消費を達成するために熱ＴＤＣを通常この調整軌跡に従って動作させる。軌跡１２４は、以下で「点Ａ」と呼ぶ点（Ｄ２（ｍｉｎ）、Ｄ１（ｍｉｎ））から始まる。次に、Ｄ１はＤ１（ｍｉｎ）からＤ１（ｍａｘ）まで増加していくが、Ｄ２はＤ２（ｍｉｎ）のままである。以下で「点Ｂ」と呼ぶ点（Ｄ２（ｍｉｎ）、Ｄ１（ｍａｘ））から、Ｄ１はＤ（ｍａｘ）に維持され、今度はＤ２がＤ２（ｍｉｎ）からＤ２（ｍａｘ）まで増加していく。調整軌跡は、以下で「点Ｃ」と呼ぶ点（Ｄ２（ｍａｘ）、Ｄ１（ｍａｘ））で終わる。
【００５１】
この場合には、中間点でバイアスする必要がない。実際、ＤＧＤ（ｂｉａｓ）が設定される場合、Ｄ１（ｍａｘ）ではＤＧＤ（ｔｏｔａｌ ＦＢＧ１）＝０になり、Ｄ２（ｍｉｎ）ではＤＧＤ（ｔｏｔａｌ ＦＢＧ２）＝０になる。その場合、次式となることが理解されよう。
【数１６】
0005295791.tif 000017
および
【数１７】
0005295791.tif 000018
【００５２】
点Ａで、格子ＣＦＧＢ２によって与えられるＤＧＤは０から始まり、格子ＣＦＢＧ１によって与えられるＤＧＤはＢ１・ΔＤ１・λから始まる。調整軌跡が点Ａから点Ｂまで上向きに進むとき、格子ＣＦＧＢ２によって与えられるＤＧＤは０のままであり、格子ＣＦＢＧ１によって与えられるＤＧＤは０へと減少する。したがって、点Ｂでは、両方の格子によって与えられるＤＧＤの合計量が０になる。
【００５３】
調整軌跡が点Ｂから点Ｃまで左から右に進むとき、ＣＦＢＧ１によって与えられるＤＧＤの量は０のままであるが、ＣＦＢＧ２によって与えられるＤＧＤは、その最大値へと増加する。点Ｃでは、両方の格子によって与えられるＤＧＤの合計量がＢ２・ΔＤ２・λになる。
【００５４】
この関係は次式で表される。
【数１８】
0005295791.tif 000019
【００５５】
一般に、２つの格子がΔＤ１＝ΔＤ２およびＢ１＝Ｂ２のように一致する場合には、Ｍａｘ｛ＤＧＤ｝はどちらの場合でも同じで次式となる。
【数１９】
0005295791.tif 000020
【００５６】
したがって、総ＤＧＤは、この特定の調整軌跡を用いて２連ＣＦＢＧの調整可能分散補償器内で、ＣＦＢＧ１をその最大分散値に調整することによって、またＣＦＢＧ２がその最小分散値に調整されて、最小化することができる。各格子には、調整された各格子によって生成されるＤＧＤのそれぞれの量を補償するそれぞれのＤＧＤ要素が設けられる。より一般的には、電力消費を最小にするどの調整軌跡についても、例えば一度に１つだけ格子を調整することによって、総ＤＧＤは、格子の電力消費もまた最小化されている調整状態の所与の格子に対し最小化されるはずである。理想的には、総ＤＧＤと電力消費の両方が同時にゼロになるはずである。その場合、総ＤＧＤは、他の１つまたは複数の格子が調整されている限り、電力消費が増加するときだけ増加する。
【００５７】
上記の技法では、正しいバイアス点でＤＧＤがゼロであることを確実にするために、ＤＧＤの能動監視が必要なことがある。能動監視をしないでＤＧＤを最小化できることもまた望ましい。
【００５８】
本発明の他の一態様によれば、ＤＧＤ（ｂｉａｓ）またはＢ・Ｄ（ｍｉｄｐｏｉｎｔ）・λが高い精度では分からず、また測定されない場合でも、上記のＤＧＤ（ｍａｘ ｔｏｔａｌ）の理論最小値にかなり近づくことが可能である。
【００５９】
次式の関係が調整領域の左上の四半分で満足されなければならない。
【数２０】
0005295791.tif 000021
【００６０】
すなわち、次式が当てはまらなければならない。
【数２１】
0005295791.tif 000022
および
【数２２】
0005295791.tif 000023
【００６１】
したがって、Ｂ・Ｄ・λおよびＤＧＤ（ｂｉａｓ）が正確に知られていないとしても、それにもかかわらず、ＤＧＤ（ｔｏｔａｌ ＦＢＧ１）がその動作範囲の上半分内のある点でゼロであり、ＤＧＤ（ｔｏｔａｌ ＦＢＧ２）がその動作範囲の下半分内のある点でゼロであることを確実にすることによって、ＤＧＤを著しく低減することが可能である。その場合、２つの格子ＣＦＢＧ１とＣＦＢＧ２に対する最大総ＤＧＤは次式となる。
【数２３】
0005295791.tif 000024
【００６２】
図５は、調整空間の一例にすぎない。一般に、他の調整空間についてＤＧＤを低減するには以下のことが必要になる。すなわち、ＤＧＤは、所与の調整電圧が固定されていて別の調整電圧が調整されるときには、その最大値の半分未満でなければならない。特別な場合として、電力消費を最小化する調整軌跡の場合を再び考えてみる。所与の電圧（図３のＶ１またはＶ２）が低電力消費状態に固定されているとき、ＤＧＤ要素は、格子にＤＧＤ要素を加えた総ＤＧＤが、その調整時の最大値の半分未満になるように選択されなければならない。
【００６３】
さらに、連結された調整可能ＣＦＢＧにＤＧＤ要素を加えた所与の組合せに対するＤＧＤ（ｂｉａｓ）またはＢＤ（ｍｉｄｏｐｏｉｎｔ）・λが分かっていない場合には、経路全体に沿って最大ＤＧＤ（ｔｏｔａｌ）を最小にする調整軌跡を見出すことによってＤＧＤを最小化することも可能である。すなわち、デバイスをこの曲線上で調整して、ＤＧＤ（ｔｏｔａｌ）の最小上限を得ることができる。
【００６４】
図３〜５に関して上述した技法を拡張して、３つ以上のＣＦＢＧを含む分散補償器に適用できることに注意されたい。その場合には、図４及び図５に示した調整空間は、追加のＣＦＢＧに対応する追加の次元を有する。
【００６５】
ＤＧＤ要素に対して格子が適正に位置合わせられる必要があることに注意されたい。この位置合わせは、接続する前にファイバを回転させながら能動的にＤＧＤを監視することによって実現することができる。別法としてそれを、書込みプロセスによって導入されＣＦＢＧに位置合わせされる複屈折軸が分かるように、書込み中にＣＦＢＧに印を付けることによって実現することもできる。ＯＦＳから入手可能なＴｒｕｅＰｈａｓｅファイバなど、軸もまた容易に観察できるＰＭＦを使用することもまた可能である。
【００６６】
図６〜８は、本発明の上述の諸態様に応じた技法例の一連の流れ図である。示された技法およびその要素が例示的なものであること、および本明細書に記載の本発明がこれらの要素の改変またはそれらの組合せを含む技法を用いて実施できることを理解されよう。
【００６７】
図６は技法２００を示す流れ図であり、以下を含む。
【００６８】
ボックス２０１：光伝送リンク内。
【００６９】
ボックス２０２：少なくとも１つの調整可能チャープ・ファイバ・ブラッグ格子とそこへの経路とが結合され、格子が、リンクによって搬送される光伝送での分散を補償するための調整可能な量の分散Ｄを与え、格子が、Ｄの関数として変化する微分群遅延ＤＧＤをリンク内に導入する。
【００７０】
ボックス２０３：格子への経路中に、相殺微分群遅延ＤＧＤ（ｂｉａｓ）を経路中に導入するＤＧＤ要素が接続され、ＤＧＤ（ｂｉａｓ）が、格子の少なくとも１つの調整値に対して、格子によって導入されるＤＧＤの絶対値とほぼ等しい絶対値を有する。
【００７１】
ボックス２０４：それによって、その調整値では、格子とＤＧＤ要素によって導入される総合微分群遅延ＤＧＤ（ｔｏｔａｌ）がゼロにほぼ等しくなる。
【００７２】
前述のように、図６の技法２００は、いくつかの追加要素を含むことによって改変することができる。
【００７３】
１つの改変技法では、格子は、最小値Ｄ（ｍｉｎ）から、Ｄ（ｍｉｎ）よりもΔＤ大きい最大値Ｄ（ｍａｘ）にまで及ぶ動作範囲内で調整可能であり、この格子が、伝送リンク内に、Ｄ（ｍｉｎ）とＤ（ｍａｘ）間の中間の中間点分散Ｄ（ｍｉｄｐｏｉｎｔ）に対応する中間点微分群遅延ＤＧＤ（ｍｉｄｐｏｉｎｔ）を導入し、ＤＧＤ要素によって格子経路中に導入される微分群遅延ＤＧＤ（ｂｉａｓ）が、ＤＧＤ（ｍｉｄｐｏｉｎｔ）の絶対値とほぼ等しい絶対値を有し、それによって、Ｄ（ｍｉｄｐｏｉｎｔ）において、格子とＤＧＤ要素によって導入される総合微分群遅延ＤＧＤ（ｔｏｔａｌ）がゼロにほぼ等しくなり、それによってＤＧＤ（ｔｏｔａｌ）が格子の動作範囲全体にわたって最小化される。
【００７４】
さらに、改変された技法は次の、格子、ＤＧＤ要素、およびそれらへの経路をリンクに結合するためのサーキュレータを使用すること、ＤＧＤ要素用に偏波面維持ファイバのセグメントを使用すること、調整可能ＤＧＤ要素を使用すること、およびＤＧＤ要素用に複屈折結晶を使用すること、のうちのいくつかまたはすべてを含むことができる。
【００７５】
図７は、技法２２０を示す流れ図であり、以下を含む。
【００７６】
ボックス２２１：光リンク内。
【００７７】
ボックス２２２：第１および第２の調整可能チャープ・ファイバ・ブラッグ格子とそれらへのそれぞれの経路とが結合され、各格子が、リンクによって搬送されるデータ伝送での分散を補償するためにそれぞれの調整可能な量の分散Ｄ１およびＤ２を与え、
分散Ｄ１が、最小値Ｄ１（ｍｉｎ）から、Ｄ１（ｍｉｎ）よりもΔＤ１大きい最大値Ｄ１（ｍａｘ）にまで及ぶ動作範囲内で調整可能であり、分散Ｄ２が、最小値Ｄ２（ｍｉｎ）から、Ｄ２（ｍｉｎ）よりもΔＤ２大きい最大値Ｄ２（ｍａｘ）にまで及ぶ動作範囲内で調整可能であり、分散Ｄ１および分散Ｄ２が調整空間を画定し、
第１の格子が、Ｄ１の関数として変化する第１の微分群遅延ＤＧＤ１をリンク中に導入し、第２の格子が、Ｄ２の関数として変化する第２の微分群遅延ＤＧＤ２をリンク中に導入し、
第１の格子が、Ｄ１（ｍｉｎ）とＤ１（ｍａｘ）間の中間の中間点分散Ｄ１（ｍｉｄｐｏｉｎｔ）に対応する第１の中間点微分群遅延ＤＧＤ１（ｍｉｄｐｏｉｎｔ）をリンク内に導入し、第２の格子が、Ｄ２（ｍｉｎ）とＤ２（ｍａｘ）間の中間の中間点分散Ｄ２（ｍｉｄｐｏｉｎｔ）に対応する第２の中間点微分群遅延ＤＧＤ２（ｍｉｄｐｏｉｎｔ）をリンク内に導入する。
【００７８】
ボックス２２３：第１の格子への経路中に、第１の相殺微分群遅延ＤＧＤ１（ｂｉａｓ）をリンク中に導入する第１のＤＧＤ要素が接続され、ＤＧＤ１（ｂｉａｓ）が、Ｄ１（ｍｉｄｐｏｉｎｔ）の絶対値とほぼ等しい絶対値を有し、第２の格子への経路中に、第２の相殺微分群遅延ＤＧＤ２（ｂｉａｓ）をリンク中に導入する第２のＤＧＤ要素が接続され、ＤＧＤ２（ｂｉａｓ）が、Ｄ２（ｍｉｄｐｏｉｎｔ）の絶対値とほぼ等しい絶対値を有する。
【００７９】
ボックス２２４：それによって、Ｄ１（ｍｉｄｐｏｉｎｔ）において、第１の格子と第１のＤＧＤ要素とによって導入される総合微分群遅延ＤＧＤ（ｔｏｔａｌ ＦＢＧ１）がゼロにほぼ等しくなり、Ｄ２（ｍｉｄｐｏｉｎｔ）において、第２の格子と第２のＤＧＤ要素によって導入される総合微分群遅延ＤＧＤ（ｔｏｔａｌ ＦＢＧ２）がゼロにほぼ等しくなり、それによって、第１の格子と第２の格子の総合ＤＧＤが、分散Ｄ１およびＤ２によって画定された調整空間にわたって最小化される。
【００８０】
前述のように、図７の技法２２０は次の、第１および第２の格子、ＤＧＤ要素、およびそれらへのそれぞれの経路をリンクに結合するためのサーキュレータを使用すること、第１および第２のＤＧＤ要素用に偏波面維持ファイバの第１および第２のセグメントを使用すること、第１および第２のＤＧＤ要素用に第１および第２の複屈折結晶を使用すること、ならびに複屈折およびΔＤの等しい各値を有する第１および第２の格子を使用すること、のうちのいくつかまたはすべてを含むことによって改変することができる。
【００８１】
図８は、技法２４０を示す流れ図であり、以下を含む。
【００８２】
ボックス２４１：光伝送リンク内。
【００８３】
ボックス２４２：第１および第２の調整可能チャープ・ファイバ・ブラッグ格子とそれらへのそれぞれの経路とが結合され、各格子が、リンクによって搬送されるデータ伝送での分散を補償するためにそれぞれの調整可能な量の分散Ｄ１およびＤ２を与え、
分散Ｄ１が、最小値Ｄ１（ｍｉｎ）から、Ｄ１（ｍｉｎ）よりもΔＤ１大きい最大値Ｄ１（ｍａｘ）にまで及ぶ動作範囲内で調整可能であり、分散Ｄ２が、最小値Ｄ２（ｍｉｎ）から、Ｄ２（ｍｉｎ）よりもΔＤ２大きい最大値Ｄ２（ｍａｘ）にまで及ぶ動作範囲内で調整可能であり、分散Ｄ１および分散Ｄ２が調整空間を画定し、
第１および第２の格子が、Ｄ２（ｍｉｎ）およびＤ１（ｍｉｎ）から始まりＤ２（ｍａｘ）およびＤ１（ｍａｘ）で終わる調整軌跡に従って調整可能であり、第２の格子がＤ２（ｍｉｎ）からＤ２（ｍａｘ）まで調整される前に、第１の格子がＤ１（ｍｉｎ）からＤ１（ｍａｘ）まで調整され、
第１の格子が、Ｄ１の関数として変化する第１の微分群遅延ＤＧＤ１をリンク中に導入し、第２の格子が、Ｄ２の関数として変化する第２の微分群遅延ＤＧＤ２をリンク中に導入する。
【００８４】
ボックス２４３：第１の格子への経路中に、第１の相殺微分群遅延ＤＧＤ１（ｂｉａｓ）をリンク中に導入する第１のＤＧＤ要素が接続され、ＤＧＤ１（ｂｉａｓ）が、（Ｄ１（ｍｉｎ）＋ΔＤ１／２）に等しい値とＤ１（ｍａｘ）に等しい値との間の調整された分散値において第１の格子によって示されるＤＧＤとほぼ等しい絶対値を有する。
【００８５】
ボックス２４４：第２の格子への経路中に、第２の相殺微分群遅延ＤＧＤ２（ｂｉａｓ）をリンク中に導入する第２のＤＧＤ要素が接続され、ＤＧＤ２（ｂｉａｓ）が、Ｄ２（ｍｉｎ）に等しい値と（Ｄ２（ｍｉｎ）＋ΔＤ１／２）に等しい値との間の調整された分散値において第２の格子によって示されるＤＧＤとほぼ等しい絶対値を有する。
【００８６】
ボックス２４５：それによって、第１の格子と第２の格子の総合ＤＧＤが調整軌跡にわたって最小化される。
【００８７】
前述のように、図８の技法２４０は次の、分散Ｄ（ｍａｘ）において第１の格子によって生成されるＤＧＤとほぼ等しくなるようにＤＧＤ１（ｂｉａｓ）を選択し、分散Ｄ（ｍｉｎ）において第２の格子によって生成されるＤＧＤとほぼ等しくなるようにＤＧＤ２（ｂｉａｓ）を選択すること、第１および第２の格子、ＤＧＤ要素、およびそれらへのそれぞれの経路をリンク中に結合するためのサーキュレータを使用すること、第１および第２のＤＧＤ要素用に偏波面維持ファイバの第１および第２のセグメントを使用すること、第１および第２のＤＧＤ要素用に第１および第２の複屈折結晶を使用すること、ならびに複屈折およびΔＤの等しい各値を有する第１および第２の格子を使用すること、のうちの１つ以上を含むことによって改変することができる。
【００８８】
以上の記述は、本発明を当業者が実施できるようにする詳細を含むが、その記述は本質的に例示的なものであること、またそれについての多くの改変および変形が、これらの教示の利益を得る当業者には明らかであることを理解されたい。したがって、本発明は、添付の特許請求の範囲によってのみ定義されるものであり、特許請求の範囲は、従来技術によって許される限り広く解釈されるものである。
【図１】
0005295791.tif 000025
【図２】
0005295791.tif 000026
【図３】
0005295791.tif 000027
【図４】
0005295791.tif 000028
【図５】
0005295791.tif 000029
【図６】
0005295791.tif 000030
【図７】
0005295791.tif 000031
【図８】
0005295791.tif 000032